(57)【要約】【課題】開閉フレームを読取装置本体に対して組み立てる際に、ＡＤＦの走査装置に対する位置決めを容易に行い得るとともに、その後の調整作業を容易に行い得るようにする。【解決手段】画像読取装置の走査装置を設けた読取装置本体２に対して、ＡＤＦ２１を設けた開閉部材５の開閉フレームを位置決めするために、最初に取付けて支点として用いるヒンジ部材３０と、開閉フレームに対する取付位置を調整可能なヒンジ部材３１とを用い、前記ヒンジ部材３１においては、読取装置本体２に設けた取付部に対して垂下軸３５を挿入した後で、ネジ３６を固定する位置を調節可能とする。【選択図】          図４
2004274294.tif 000002
【特許請求の範囲】
【請求項１】
自動原稿搬送装置を搭載した開閉フレームを、読取装置フレームの上部に開閉可能に設けた画像読取装置であって、
前記開閉フレームのヒンジ部材を前記読取装置フレームの上面に取付け、
前記ヒンジ部材に対して開閉フレームの読取装置に対するズレを調整する調整機構を設けたことを特徴とする画像読取装置。
【請求項２】
前記調整機構は、ヒンジ部材の１つを支点として、他方を移動可能に構成したことを特徴とする請求項１に記載の画像読取装置。
【請求項３】
前記開閉フレームには、自動原稿搬送装置に対応する前側の位置に、ズレ量を検出する検出手段を設けたことを特徴とする請求項１または２に記載の画像読取装置。
【発明の詳細な説明】
【０００１】
【発明の属する技術分野】
本発明は、自動原稿搬送装置（ＡＤＦ）を搭載した開閉フレームにおいて、ＡＤＦによる読取位置のズレを修正する手段を設けた装置に関する。
【０００２】
【従来の技術】
電子写真複写機やファクシミリ装置（ＦＡＸ）または、複数の機能を備えた画像形成装置においては、読取装置により原稿の画像を読取り、その画像情報にもとづいて記録紙を作成すること、または、ＦＡＸ送信する等の処理を行うための、送信画像を得るために用いられる。前記読取装置においては、ブックものの原稿の読取りを行うためのＦＢＳ（フラットベッドスキャナ）と、シートものの原稿を移動させながら読み取るためのＡＤＦとを備えている。前記２種類の読取装置を備えた装置においては、ＦＢＳ機能に対応させて設けている走査装置を、ＡＤＦにも共通に用いており、前記ＡＤＦ機能を用いて原稿の読取りを行う場合には、読取装置の一端部のＡＤＦに対応させた位置に走査装置を固定して、原稿の画像の読取りを行う。
【０００３】
前記画像読取装置において、走査装置を収容する装置フレームに対して、開閉フレームを開閉可能に設けており、ＦＢＳ機能を用いて読取りを行う場合には、プラテン上にセットした原稿を、前記開閉フレームにより押圧させる。また、ＡＤＦ機能を使用する際には、開閉フレームを閉じた状態で、ＡＤＦを用いた原稿の搬送を行うようにされる。前記ＡＤＦ機構を開閉フレームと組み合わせて設けている開閉部材は、読取装置のフレームの上部に開閉可能に設けられており、前記装置フレームのリヤ側に設けたヒンジ部材により、前記開閉部材が開閉可能に支持されている。前記開閉フレームを読取装置フレームに対して支持するヒンジ部材は、前記装置フレームに設けている装着部に対して、ネジ止め手段等により固定されている。（例えば、特許文献１を参照）。
【０００４】
【特許文献１】
特開平９−６８７６３号
【０００５】
【発明が解決しようとする課題】
前記ＡＤＦを設けている開閉フレームは、読取装置のフレームに取付ける際には、ヒンジ部材の一方の部材（基部側の部材）をネジ止めするのみであり、何等かの影響で、開閉フレームの取付部が動いたりすることがある。そこで、前記ネジ止め部が動いたりしたときには、ＡＤＦの読取り位置（走査線）が斜めになったりしてズレを生じることがあり、開閉フレームにズレが生じてその走査線が斜めになったことが、再現した画像で明らかになったときには、前記ヒンジ部の基部材のネジを緩めて、斜め状態（ズレ）を修正してから再び締め直して調整している。ところが、前記ＡＤＦの走査線の確認が容易でないことから、調整作業に際しては、メンテナンス作業者は経験と勘にもとづいた調整作業を行っているのが現状である。
【０００６】
本発明は、開閉フレームにＡＤＦの基準位置を表示する手段を設け、読取装置本体に対して開閉フレームを支持させる２つのヒンジ部材のうちの１つに対して、装置フレームには調整手段を設けることで、開閉フレームの調整を容易に行い得る装置を提供することを目的としている。
【０００７】
【課題を解決するための手段】
本発明は、自動原稿搬送装置を搭載した開閉フレームを、読取装置フレームの上部に開閉可能に設けた画像読取装置に関する。請求項１の発明は、前記開閉フレームのヒンジ部材を前記読取装置フレームの上面に取付け、前記ヒンジ部材に対して開閉フレームの読取装置に対するズレを調整する調整機構を設けたことを特徴とする。
【０００８】
請求項２の発明は、前記調整機構は、ヒンジ部材の１つを支点として、他方を移動可能に構成したことを特徴とする。
【０００９】
請求項３の発明は、前記開閉フレームには、自動原稿搬送装置に対応する前側の位置に、ズレ量を検出する検出手段を設けたことを特徴とする。
【００１０】
前述したように構成したことにより、開閉フレームを装置のフレームに対して２つのヒンジ部材を用いて取付ける際に、一方のヒンジ部材を固定してから、他方のヒンジ部材の取付位置を調整しながら、取付作業を行うことができる。また、前記開閉フレームのＡＤＦでの走査線に対応する表示手段を、開閉フレームのフロント側に設けておき、前記ＡＤＦに対応する走査位置をフレームにも表示しておくことで、前記ＡＤＦにおける走査線の位置を、目視で容易に確認できるので、ズレを調整する作業を容易に行うことが可能となる。
【００１１】
【発明の実施の形態】
図示される例にしたがって、本発明の装置の構成を説明する。図１に示す例は、複写機やファクシミリ装置、またはその両機能を複合した画像形成装置に組み合わせて用いることが可能な装置として構成される画像読取装置１を示している。前記画像読取装置１には、読取装置を設けた本体装置２のフレーム３の上部に大プラテン４と小プラテン４ａとを配置しており、前記大プラテン４の上部には後述するように、自動原稿搬送装置（ＡＤＦ）２１を装備し、プラテンカバー機能を備えた開閉部材５を配置している。そして、前記開閉部材５の開閉フレーム６の下面に設けた弾性体による原稿押圧板２０が、プラテン４上にセットした原稿を押圧するようにして、ＦＢＳ（フラットベッドスキャナ）としての機能を持たせている。また、前記小プラテン４ａを用いて、ＡＤＦ２１により搬送されるシート原稿の読取りを行うようにする。
【００１２】
前記読取装置本体２においては、従来の装置と同様な構成を有する走査装置１０を設けているもので、前記走査装置１０は、装置フレーム３の内部で移動可能に設けられ、原稿の画像面に光を照射するランプ１２と１つのミラーｍ１とを設けたフルレートキャリッジ１１と、２つのミラーｍ２、ｍ３を設けたハーフレートキャリッジ１３とを設けている。また、前記複数のミラーにより反射された光を、ＣＣＤ１８に結像させるレンズ１７を設けており、前記レンズ１７とＣＣＤ１８は装置フレーム３の固定位置に配置している。前記２つのキャリッジ１１、１３は、１つの駆動軸に設けた大小の駆動プーリ１５、１５ａに巻きかけた伝動ベルト１６、１６ａのような駆動部材により駆動されるもので、前記駆動プーリ１５と１５ａの直径の比率を１：２として構成することで、ハーフレートキャリッジ１３をフルレートキャリッジ１１に対して１／２の速度で同期駆動するようにしている。
【００１３】
前記２つのキャリッジ１１、１３を組み合わせて構成する走査装置において、プラテン４上にセットした原稿に対して、ランプ１２から光を照射し、その原稿の画像面の反射光をミラーｍ１に反射させ、ハーフレートキャリッジ１３の２つのミラーｍ２，ｍ３を介して折り返すようにして、レンズ１７によりＣＣＤ１８に結像させて、光信号を電気信号に変換する。そして、前記ＣＣＤ１８では、光信号をデジタル信号として変換して、画像記録部に向けて伝達し、電子写真方式を用いて記録紙を作成することができる。また、前記画像読取装置１をファクシミリ装置に組み合わせて設ける場合には、電話回線を通して読取り情報を、遠隔地のファクシミリ装置に向けて伝達することも、従来の装置の場合と同様になされる。
【００１４】
前記本体装置フレーム３の上部には、ＡＤＦ２１を開閉フレーム６と一体に設けた開閉部材５を、読取装置本体２に対して開閉可能に設けており、大プラテン４にブック原稿をセットして読取りを行う際に、前記開閉部材を開いて原稿をセットし、原稿押圧板２０により押圧して読取りに供する。なお、前記大プラテン４にセットした原稿は、弾性体によりプラテンに向けて押圧させるようにすることも、従来の装置の場合と同様にして行うことができる。前記ＡＤＦ２１においては、従来公知のＡＤＦ（自動原稿搬送装置）の場合と同様に、横向きの略Ｕ字状に構成した原稿搬送路２４を設けており、原稿トレイ２７と排出トレイ２８の間を接続している。前記原稿搬送路２４には、原稿トレイ２７に続く原稿挿入部にピックアップローラ２２を配置し、原稿を送り込む際にのみ、所定の時間だけ下降されて原稿に押圧するように、上下動可能に設ける。前記原稿搬送路の入り口部分には、原稿さばき装置２３を設けており、フィードローラ２３ａとリタードローラ２３ｂとを対向させて設けて、原稿を１枚ずつ分離して原稿搬送路２４に向けて給紙する。前記原稿搬送路内には、搬送ローラ装置２５、２５ａ、２５ｂを所定の間隔で配置しており、搬送ローラ装置２５ａ、２５ｂの間で原稿を一定の速度で搬送しながら、小プラテン４ａの部分に対応させて設けている読取り用窓部２０ａで読取りを行い、読み取った原稿を排出ローラ装置２６により排出トレイ２８に向けて排出させる。
【００１５】
図２には、前記図１に示すように構成した画像読取装置１において、読取装置本体２に対して開閉フレーム６を開いた状態で説明しているもので、前記開閉部材５の開閉フレーム６は読取装置本体２に対してリヤ側に設けているヒンジ部材３０、３１により、開閉可能に支持される。なお、前記読取装置本体２の下部には、記録部と給紙部とを設けた下部装置７を配置しているが、前記下部装置７と読取装置本体２との取り付け関係と、下部装置７の機構に関しては、従来公知の電子写真複写機等と同様に構成しても良いものであり、その詳細な説明は省略する。また、前記画像読取装置１においては、読取装置本体２のフロント側には、装置の各動作を制御するためのコントロールパネル８を設けているが、前記コントロールパネルに配置するボタン、スイッチ類の構造と、配置関係等も説明を省略する。
【００１６】
図３には、前記読取装置本体２と開閉部材５および下部装置７の組み合わせたものを、正面から見た状態を説明しているもので、ＡＤＦ２１の読取り窓部２０ａにより規定される走査線での読取り位置を表示する表示部４１に、基準線４２を設けている。前記基準線４２はＡＤＦの正面側に対応させて、オペレータが容易に確認可能な位置に形成するもので、前記基準線４２に対応させて、読取装置本体２のフレーム３のフロント側には、目盛り４３を設けている。前記画像読取装置を製造したときには、走査装置による読取り基準線として、前記基準線４２が中央部に位置されるように、走査装置１０には目盛り４３を設けて、表示部４１を設けている。そして、装置を搬送途中等に衝撃が加えられたりする等の、何等かの影響により、開閉フレーム６が読取装置本体２に対して移動して、目盛り４３に対して基準線４２がズレを生じたときには、前記目表示部４１の基準線４２が目盛り４３に対して初期の設定位置に戻されるように、開閉フレーム６の取付部材としてのヒンジ部材３０、３１による調節を行い得るようにする。
【００１７】
前記図２に示されたように、開閉部材５の開閉フレーム６を読取装置本体２に対して開閉可能に支持するヒンジ部材３０、３１は、図４、５に示すように構成されているが、前記ヒンジ部材を用いて読取装置本体２上に開閉フレーム６を取付ける際には、一方のヒンジ部材３０を最初に取付けて支点として用いる。その後に、ヒンジ部材３１を取付けて、前記読取りの基準線４２が小プラテン４ａの基準線に一致されるようにして固定するもので、前記ヒンジ部材３０、３１においては、上部材３２を開閉フレーム６に取付けておき、下部材３４を読取装置本体２の装着部３７に対して、固定手段を用いて取付けるようにする。前記下部材３４を装着部３７に対して取り付けるために、前記下部材３４には装着部３７に設けた挿入孔３８に垂下軸３５を挿入し、ネジ３６を用いて固定するようにしている。
【００１８】
前記開閉部材５を読取装置本体２に対して組み立てる際には、最初にヒンジ部材３０の下部材３２を装着部に固定し、その後に、前記開閉フレーム６の基準線４２が目盛り４３の中央の指定位置に組み合わされるように、ヒンジ部材３１の下部材を取付けるようにする。ところが、前記基準線４２と目盛り４３とを設けた表示部４１は、装置のフロント側にあるので、ヒンジ部材の取付け位置の調整を行う際には確認することができない。そこで、図５に示すように、前記ヒンジ部材３１に対して目盛り４０を設けておき、ネジ３６を取付ける位置を前記目盛り４０の表示により確認して、固定できるようにする手段を用いる。
【００１９】
ところで、前記ヒンジ部材３１において、下部材３４をネジ３６により固定した状態で、ＡＤＦを用いて原稿の読取りを行い、その結果から目盛り４０の表示が、正面の表示部４１の表示と一致することを確認する必要がある。例えば、前記ヒンジ部材の下部材３４を固定する装着部３７での表示については、あらかじめ、読取装置本体２の上部の所定の位置に、前記装着部３７を設けておくことが可能である。これに対して、装置のフロント側（正面側）の表示部４１に設ける目盛り４３については、前記開閉フレーム６を読取装置本体２に対して組み立ててから、ＡＤＦの読取り基準線が正確に設定されたことを確認する。そして、例えば、基準線４２に対して目盛り４３を、ラベルを貼り付ける等して表示すれば、装置の出荷時には、読取り基準線が正確に設定された状態とされていることを確認できる。
【００２０】
前述したようにして、ＡＤＦの走査装置に対して位置決めされた装置が、その搬送途中に何等かの影響で、ＡＤＦを含む開閉フレーム６の支持軸線がズレを生じるときには、前記表示部４１の基準線４２が目盛り４３に対して、設定位置からズレを生じることになる。そこで、前記表示部４１でのズレを確認するために、開閉フレーム６を開いて目盛り４０に対するネジ３６の位置がズレていることを確認することで、読取った画像情報によるズレの確認と合わせて、ヒンジ部材の調整を行う必要が判明する。前記目盛り４０において、ネジ３６の位置が明らかにズレを生じている状態では、最初に固定した目盛り４１に合わせて締め付け位置を移動させることで解決する。
【００２１】
前記ヒンジ部材３１の固定ネジ３６の位置の調整に際しては、フロント側の表示部４１の基準線４２が、最初に指定した目盛り４３に対して一致されているかを、さらに確認すれば、前記目盛り４０、４３の表示が正確であることを再確認することも可能になる。もちろん、ヒンジ部材３１の取付位置を調整する作業の後で、前記各表示部材の表示が正確でないということが、読取った画像の分析から判定される場合には、表示部４１の目盛り４３のラベルを張り代えること等により、その後の調整の作業に影響が生じないように、対策を行い得るようにすればより効果的である。
【００２２】
なお、前記読取装置本体２に対して開閉部材５の開閉フレーム６を支持するヒンジ部材は、前記調節機構の構造を付加できれば、上部材や下部材の構成等は特に限定されるものではなく、従来公知の下部材を、取付位置の調節手段を組み合わせて用いることも可能である。また、前記表示部４１に設ける目盛り４３と、下部材３４を取付ける部分に設ける目盛り４０は、任意の表示手段を用いて構成することができるものであり、簡単な方法として、ラベルのような部材を用いることに限定されるものではない。また、前記ヒンジ部材においては、上部材３２に対して、開閉フレーム６の上下動を許容するリフト機構を設けて、厚いブックものの原稿を大プラテン４にセットしたときに、原稿押圧板２０による押圧作用を良好に行い得るようにすることも、従来の読取装置の場合と同様に構成される。その他に、ＡＤＦに設ける原稿搬送と、読取装置に対する原稿のガイド部材等の構成に関しても、従来のＡＤＦと同様に構成することが可能である。
【００２３】
【発明の効果】
前述したように構成したことにより、開閉フレームを装置のフレームに対して２つのヒンジ部材を用いて取付ける際に、一方のヒンジ部材を固定してから、他方のヒンジ部材の取付位置を調整しながら、取付作業を行うことができる。また、前記開閉フレームのＡＤＦでの走査線に対応する表示手段を、開閉フレームのフロント側に設けておき、前記ＡＤＦに対応する走査位置をフレームにも表示しておくことで、前記ＡＤＦにおける走査線の位置を、目視で容易に確認できるので、ズレを調整する作業を容易に行うことが可能となる。
【図面の簡単な説明】
【図１】画像読取装置の構成を示す説明図である。
【図２】開閉フレームを読取装置本体から開いた状態の説明図である。
【図３】画像読取装置の正面図である。
【図４】ヒンジ部材の配置関係の説明図である。
【図５】ヒンジ部材の取付状態の説明図である。
【符号の説明】
１    画像読取装置、  ２    読取装置本体、  ３    読取フレーム、
４    プラテン、  ５    開閉部材、  ６    開閉フレーム、
７    下部装置、  ８    コントロールパネル、  １０    走査装置、
１１    フルレートキャリッジ、  １２    ランプ、
１３    ハーフレートキャリッジ、  １５    プーリ、
１６    伝動ベルト、  １７    レンズ、  １８    ＣＣＤ、
２０    原稿押圧板、  ２１    ＡＤＦ、  ２２    ピックアップローラ、
２３    用紙さばき装置、  ２４    原稿搬送路、
２５    搬送ローラ装置、  ２６    排出ローラ装置、
２７    原稿トレイ、  ２８    排出トレイ、  ３０・３１    ヒンジ部材、
３２    上部材、  ３４    下部材、  ３５    垂下軸、  ３６    ネジ、
３７    装着部、  ４０・４３    目盛り、  ４１    表示部、
４２    基準線。
【図１】
2004274294.tif 000003
【図２】
2004274294.tif 000004
【図３】
2004274294.tif 000005
【図４】
2004274294.tif 000006
【図５】
2004274294.tif 000007